(57)【特許請求の範囲】
【請求項１】
ユニットバスのカウンター設置用枠組構造であって、防水パンと、浴槽と、この防水パン又は、防水パンと浴槽に連続するコーナー部にそれぞれ立設された下段コーナーフレームと、これらの各下段コーナーフレーム上部に前記防水パンの外方同一方向へ向かって外側に取り付けられ支持片を有するステイと、これらのステイ上面の外部に、且つ前記防水パンの端辺と略平行に締結される外側連結フレームと、前記ステイの上面に前記外側連結フレームの内方側で締結される内側連結フレームとを備えて構成され、前記外側連結フレームに上段コーナーフレームが締結され、前記外側連結フレームと前記内側連結フレームに支持されてカウンターが設置されてなることを特徴とするカウンター設置用枠組構造。
【請求項２】
前記ステイ及び前記外側連結フレームの外周より内側に、前記上段コーナーフレームが立設可能に構成されていることを特徴とする請求項１に記載のカウンター設置用枠組構造。
【請求項３】
前記ステイの上面に締結される前記外側連結フレームの上面と、前記外側連結フレームの内方側で締結される内側連結フレームの上面に前記カウンターの裏面と平行な設置面が構成され、前記設置面上にカウンターが設置されてなることを特徴とする請求項１または２に記載のカウンター設置用枠組構造。
【請求項４】
前記ステイにおいて前記下段コーナーフレーム取付部分よりも外側に形成された支持片に支持されて前記内側連結フレームと前記外側連結フレームが架設されるとともに、前記内側連結フレームの端部と前記外側連結フレームの端部とが前記ステイに当接されて位置決めされてなることを特徴とする請求項１〜３のいずれかに記載のカウンター設置用枠組構造。
【請求項５】
前記ステイに前記外側連結フレームの端部が当接されて前記ステイと前記外側連結フレームの端部によりコーナー部が形成されるとともに、このコーナ部分に沿って前記上段コーナーフレームが設置されてなることを特徴とする請求項１〜４のいずれかに記載のカウンター設置用枠組構造。
【発明の詳細な説明】
【技術分野】
【０００１】
本発明は、ユニットバスのカウンター設置用枠組構造に関するものである。
【背景技術】
【０００２】
従来、ユニットバスにおいて図９に示すように防水パン１０１の外周上にカウンター１０２を設ける場合、防水パン１０１上の両端コーナー部に立設されている下段コーナーフレーム１０３の上部から外方同一方向へ向かって、カウンター１０２の全幅と同じ幅のカウンター設置用板状金具１０４をブラケット１０５を介して設置し、この板状金具１０４の上にカウンター１０２を設置した構造が提供されている。
【０００３】
また、ユニットバス用のカウンター部分の他の構造例として、防水パン上に立設される前板部と前板部の上端から外側に向かって水平状をなす天板部で構成されるカウンターであって、前板部の下端両側にブラケットを取り付け、これらブラケットで防水パンに固定してなる構造が知られている。（特許文献１参照）
【先行技術文献】
【特許文献】
【０００４】
【特許文献１】特開２００１−３２１２８５号公報
【発明の概要】
【発明が解決しようとする課題】
【０００５】
しかしながら、図９に示す構造の場合、カウンター１０２の奥行き幅と同じ幅のカウンター設置用板状金具１０４が用いられているため、カウンター１０２の奥行き幅の変更があった際は、前記板状金具１０４をすべて新規に製作し直す必要があり、板状金具１０４の製品単価も高価になってしまう問題がある。
更に、図９に示すカウンター１０２の奥行き幅と同じ幅のカウンター設置用板状金具１０４の場合、使用材料が多くなり重量が重くなることで、設置作業者１名での設置が困難となることが考えられる。
また、特許文献１に記載の構造であっても、カウンターの奥行き幅変更が生じた場合に大幅な作り直しを要する問題が生じ、設置が容易ではなく、製品単価も高額になってしまう問題があった。
【０００６】
本発明は、上記の課題を解決するものであり、カウンターの幅変更があった場合であっても作り直しの部材をできる限り少なくして必要最低限の投資で対応可能であり、作業性と取り付け施工性の面でも優れさせたユニットバスのカウンター設置用枠組構造を提供することを目的とする。
【課題を解決するための手段】
【０００７】
本発明は、次のものに関する。
（１）本発明は、ユニットバスのカウンター設置用枠組構造であって、防水パンと、浴槽と、この防水パン又は、防水パンと浴槽に連続するコーナー部にそれぞれ立設された下段コーナーフレームと、これらの各下段コーナーフレーム上部に前記防水パンの外方同一方向へ向かって外側に取り付けられ支持片を有するステイと、これらのステイ上面の外部に、且つ前記防水パンの端辺と略平行に締結される外側連結フレームと、前記ステイの上面に前記外側連結フレームの内方側で締結される内側連結フレームとを備えて構成され、前記外側連結フレームに上段コーナーフレームが締結され、前記外側連結フレームと前記内側連結フレームに支持されてカウンターが設置されてなることを特徴とする。
【０００８】
（２）第２の要旨は、前記ステイ及び前記外側連結フレームの外周より内側に、前記上段コーナーフレームが立設可能に構成されていることを特徴とする。
（３）第３の要旨は、前記ステイの上面に締結される前記外側連結フレームの上面と、前記外側連結フレームの内方側で締結される内側連結フレームの上面に前記カウンターの裏面と平行な設置面が構成され、前記設置面上にカウンターが設置されてなることを特徴とする。
【０００９】
（４）第４の要旨は、前記ステイにおいて前記下段コーナーフレーム取付部分よりも外側に形成された支持片に支持されて前記内側連結フレームと前記外側連結フレームが架設されるとともに、前記内側連結フレームの端部と前記外側連結フレームの端部とが前記ステイに当接されて位置決めされてなることを特徴とする。
（５）第５の要旨は、前記ステイに前記外側連結フレームの端部が当接されて前記ステイと前記外側連結フレームの端部によりコーナー部が形成されるとともに、このコーナ部分に沿って前記上段コーナーフレームが設置されてなることを特徴とする。
【発明の効果】
【００１０】
本発明は、防水パンの両端コーナー部に立設される下段コーナーフレームと、この下段コーナーフレーム上部に前記防水パンの外方同一方向へ向かって外側に取り付けられ支持片を有するステイと、前記支持片の上面最外部に、且つ前記防水パンの端辺と略平行に締結される外側連結フレームと、前記支持片の上面に前記外側連結フレームの内方側で締結される内側連結フレームにて構成される枠組構造であって、枠組構造が前記外側連結フレームと前記内側連結フレームによる分割構造になっているため、カウンター奥行き幅が変更になった場合であっても、前記ステイのサイズを外方同一方向へ向かって大きくしたものを用意するか、前記ステイのサイズを外方向一方向へ小さくしたものを用意するかの違いだけで対応可能であり、前記外側連結フレームと内側連結フレームは造り替えしなくても対応可能であるので、新規部品が最小限になり、新規部品の投資額を少なくして製品単価を安価にすることが可能になる。さらに、カウンターを支持するフレームが分割されている為、製品自体の体積減少により輸送効率が向上するとともに、金具重量軽量化により施工性が向上し、使用材料低減により製品単価も安価にすることができる。
【００１１】
また、防水パンの端辺と略平行に締結される外側連結フレームと前記ステイを締結する際は、前記ステイと外側連結フレームの外周より内側に前記ステイと外側連結フレームに沿ってこれらに案内されるように上段コーナーフレームを締結し立設することで、上段コーナーフレームを締結し立設すると同時に、前記ステイと外側連結フレームを締結することができる為、前記ステイと外側連結フレームを締結するための別部品が不要になり、安価に製作できるとともに、上段コーナーフレームの位置決めも正確に行うことができる。
【００１２】
更に、前記ステイの上面に締結される防水パンの端辺と略平行に締結される外側連結フレームの上面の上と、前記外側連結フレームの内方側で締結される内側連結フレームの上面の上に、カウンター裏面と平行な設置面を構成できるため、設置面上に止水材を設置し易く、止水材でもって設置面とカウンターとの隙間埋めを容易にできるので、止水構造を設けやすく、止水構造を備えた状態でカウンターを設置することができる。
【００１３】
前記ステイに前記外側連結フレームの端部と内側連結フレームの端部を当接させる構成とすることで、外側連結フレームの位置決めと、内側連結フレームの位置決めをステイを用いて確実かつ容易になし得る。また、前記ステイと前記外側連結フレームとが形成するコーナー部分に沿って上段コーナーフレームを設置することで、上段コーナーフレームの位置決めも確実かつ容易に行うことができる。
【図面の簡単な説明】
【００１４】
【図１】防水パンの外周上に設けられた本発明に係る一実施形態のユニットバスのカウンター設置用枠組構造を示す斜視構造図。
【図２】防水パンと浴槽の外周上に設けられた本発明に係る一実施形態のユニットバスのカウンター設置用枠組構造を示す斜視構造図。
【図３】防水パンの外周上に設けられた本発明に係るユニットバスのカウンター設置用枠組構造の例を示すもので、図３（ａ）は所定幅のカウンターに対応して設けた第１の例を示す断面構造図、図３（ｂ）は奥行き幅の大きなカウンターに対応して設けた第２の例を示す断面構造図、図３（ｃ）は奥行き幅の小さなカウンターに対応して設けた第３の例を示す断面構造図。
【図４】本発明に適用されるステイを示すもので、図４（ａ）は第１実施形態のステイの加工前の状態を示す斜視図、図４（ｂ）は同ステイの加工後の状態を示す斜視図、図４（ｃ）は同ステイを下段コーナーフレームに取り付けるとともに外側連結フレームと内側連結フレームを取り付けた状態を示す斜視図。
【図５】本発明に適用されるステイと外側連結フレームと内側連結フレームを示すもので、図５（ａ）は同ステイと外側連結フレーム及び内側連結フレームの全体構造を示す斜視図、図５（ｂ）は同ステイと外側連結フレーム及び内側連結フレームに上段コーナーフレームの一例を取り付けた状態を示す斜視図、図５（ｃ）は同ステイと外側連結フレーム及び内側連結フレームに壁パネルを取り付ける状態を示す斜視図。
【図６】支持片を有するステイに防水パンの端辺と略平行に締結される外側連結フレームを締結した状態を示すもので、図６（ａ）は斜視図、図６（ｂ）は上段コーナーフレームを締結した状態を示す斜視図。
【図７】支持片を有するステイに防水パンの端辺と略平行に締結される外側連結フレームと内側連結フレームを締結した状態を示すもので、図７（ａ）はカウンターを設置する前の状態を示す斜視図、図７（ｂ）はカウンターを設置した状態を示す斜視図。
【図８】下段コーナーフレームの下部と防水パンを締結させる支え金具の一例を示すもので、図８（ａ）は防水パンコーナー部の内側から見た斜視図、図８（ｂ）は防水パンコーナー部の外側から見た斜視図。
【図９】従来のユニットバスのカウンター設置用枠組構造の一例を示す斜視図。
【発明を実施するための形態】
【００１５】
以下、この発明を図面に基づいて説明する。
図１は、ユニットバスの床面を構成する防水パン１の一側端辺にカウンター２の設置用枠組構造を適用した一例を示す斜視構造図である。
図１に示すカウンター設置用枠組構造は、矩形状の防水パン１と、この防水パン１の両端コーナー部に各々立設された下段コーナーフレーム３と、これらの下段コーナーフレーム３の上部に前記防水パン１の外方同一方向へ向かって外側に取り付けられ、水平に配置される支持片５ｉを有したステイ５と、このステイ５に形成された支持片５ｉの上面の外部に、且つ前記防水パン１の端辺と略平行に締結された外側連結フレーム６と、前記ステイ５に形成された支持片５ｉの上面に前記外側連結フレーム６の内方側で締結された内側連結フレーム７と、これら外側連結フレーム６と内側連結フレーム７の上に設置されたカウンター２から概略構成されており、前記外側連結フレーム６の上に上段コーナーフレーム９が締結されて立設されている。
【００１６】
図２は、防水パン１と浴槽１４とが設けられたユニットバスに対してカウンター２の設置用枠組構造が適用された状態を表した斜視構造図である。
図２は、矩形状の防水パン１と、そのコーナー部分に沿って設けられた浴槽１４と、防水パン１と浴槽１４の両端コーナー部に各々立設された下段コーナーフレーム３と、これらの下段コーナーフレーム３の上部に前記防水パン１の外方同一方向へ向かって外側に取り付けられ支持片５ｉを有するステイ５と、このステイ５に設けられた支持片５ｉの上面の外部に、且つ前記防水パン１の端辺と略平行に締結された外側連結フレーム６と、前記ステイ５に設けられた支持片５ｂの上面に前記外側連結フレーム６の内方側で締結された内側連結フレーム７と、これら外側連結フレーム６と内側連結フレーム７の上に設置されたカウンター２から概略構成されており、前記外側連結フレーム６に上段コーナーフレーム９が締結されて立設されている。
【００１７】
また、図１と図２に示す構造においては、いずれにおいても、外側連結フレーム６と内側連結フレーム７の上面側に設置面１０が形成され、これらの設置面１０上にカウンター２が設置されている。
これらの構造により、カウンター２を支持する部材が、防水パン１の端辺と概略平行に設置されている外側連結フレーム６と内側連結フレーム７に分割されていて、外側連結フレーム６と内側連結フレーム７の奥行き幅を合計した奥行き幅は、カウンター２の奥行き幅よりも小さくされているので、カウンター２の奥行き方向の幅と同等の大きさのフレームを設けていた図９に示す従来構造の板状金具１０４に比べて製品重量を軽量化することができる。従って本実施形態の外側連結フレーム６と内側連結フレーム７を用いることで製品としての輸送効率が向上し、施工性が向上する。
【００１８】
図３（ａ）は、防水パン１にカウンター２設置用枠組の構造を適用した状態の一例を表した断面構造図である。
図３（ａ）においては、カウンター２を支持する部材が、下段コーナーフレーム３の上部に前記防水パン１の外方同一方向へ向かって外側に取り付けられる支持片５ｉを有するステイ５の上面に締結された前記外側連結フレーム６と、前記内側連結フレーム７に分割されて構成されている。
【００１９】
図３（ｂ）は、図３（ａ）の構造に対し、カウンター２Ａの幅が奥行き方向に拡大された際のカウンター設置用枠組構造の一例を表した断面構造図である。
カウンター２Ａの幅が図３（ｂ）に示す如く奥行き方向に拡大された場合であっても、前記外側連結フレーム６と内側連結フレーム７は形状変更せずに、ステイ５Ａのみをステイ５に対して外方同一方向へ向かって外側に拡大する形状に変更しただけなので、カウンター２Ａの奥行き幅が変更となった場合であっても新規部品が最小限になり、対応が容易にできる。
【００２０】
図３（ｃ）は、図３（ａ）の構造に対し、カウンター２の幅が奥行き方向に縮小された際のカウンター設置用枠組の構造の一例を表した断面構造図である。
カウンター２Ｂの幅が図３（ｃ）に示す如く奥行き方向に縮小された場合であっても、前記外側連結フレーム６と内側連結フレーム７は形状変更せずに、ステイ５Ｂをステイ５に対して外方同一方向へ向かって内側に縮小する形状としただけなので、カウンター２Ｂの奥行き幅が変更となった場合であっても新たに必要な新規部品が最小限になり、対応が容易にできる。
【００２１】
図４は、支持片５ｉを有するステイ５を説明するための斜視構造図である。
本実施形態のステイ５は、５角形状の金属板の本体部５Ａからなり、本体部５Ａの外周縁を構成する第１の縁部５ａ、第２の縁部５ｂ、第３の縁部５ｃ、第４の縁部５ｄ、第５の縁部５ｅのうち、第２の縁部５ｂにおいて本体部５Ａからほぼ直角に延出するように矩形板状の取付片５ｆが立設され、第５の縁部５ｅにおいてその半分程度の長さの部分を所定幅切り起こして前記取付片５ｆと平行に矩形板状の取付片５ｇが立設されている。また、本体部５Ａの中央上部側にコノ字形状の抜き箇所５ｈを設けて、その内側の部分を切り起こしてなる矩形板状の支持片５ｉが形成されている。この支持片５ｉは本体部５Ａに対し直角に立設されるとともに前記取付片５ｆと直交する向きに配置されている。
【００２２】
また、本体部５Ａを図４（ｂ）に示す如く支持片５ｉを水平にして起立配置した状態において、第１の縁部５ａの近くであって取付片５ｆを形成したコーナー部分側に小孔５ｊが形成され、取付片５ｆの上部側に小孔５ｊが形成され、支持片５ｉの付け根の部分両側に小孔５ｊが形成され、取付片５ｇの切り起こし部分の上下両側にも小孔５ｊが形成されている。
これらの小孔５ｊは、ステイ５と下段コーナーフレーム３をビスあるいはボルトなどの締結具により締結するため、ステイ５と外側連結フレーム６をビスあるいはボルトなどの締結具により締結するため、あるいは、ステイ５と内側連結フレーム７をビスあるいはボルトなどの締結具で締結するために設けられている。
【００２３】
前記ステイ５と前記ステイ５の上面に締結される外側連結フレーム６と内側連結フレーム７を取り付ける際は、まず、鉛直に設置されている４角柱状の下段コーナーフレーム３の上端部に対し図４（ｂ）に示す状態に起立させたステイ５を近接させ、下段コーナーフレーム３の上端部の外側の側面に対しステイ５の取付片５ｇを沿わせるとともに、取付片５ｇの上下に位置する第５の縁部５ｅを下段コーナーフレーム３の他の側面に沿わせて当接させる。この状態においてステイ５は支持片５ｉを水平として取付片５ｆ側を下段コーナーフレーム３の外側に向けた状態で下段コーナーフレーム３に沿って位置決めされる。
【００２４】
次に、ステイ５の小孔５ｊを介し下段コーナーフレーム３に予め形成されている締結孔にビスあるいはボルトなどの締結具を螺合することでステイ５を下段コーナーフレーム３の上端部分に締結する。この締結状態でステイ５の支持片５ｉは下段コーナーフレーム３の外側に向いて水平に延出するように位置決めされる。なお、防水パン１の両側の下段コーナーフレーム３にはそれぞれステイ５をビスあるいはボルトなどの締結具により締結するが、対向する両側のステイ５の支持片５ｉが互いに向き合うように（防水パン１の端辺の中央側に各ステイ５の支持片５ｉが向くように）下段コーナーフレーム３にステイ５を締結する。
【００２５】
防水パン１のコーナー部分両側のステイ５を締結したならば、両側のステイ５の間に位置するように、外側連結フレーム６と内側連結フレーム７を水平配置する。
次いで、両側のステイ５の支持片５ｉの上に外側連結フレーム６と内側連結フレーム７をビスやボルト等の緊結具を用いて締結し、固定する。本実施形態の構造では、ステイ５に対しコの字形状の抜き部分箇所５ｈを形成し、その内側を折り曲げることで前記支持片５ｉを形成することができ、支持面を新たに設ける為の別部品を取り付ける必要が無く、前記ステイ５の材料歩留まりを向上することができる。
締結部分についてより具体的には、外側連結フレーム６と内側連結フレーム７の両端部側に形成されている小孔６ｊ、７ｊとステイ５の支持片５ｉに形成されている小孔５ｊを利用してビスあるいはボルトなどの締結具によりこれらを締結することで取り付けることができる。
【００２６】
図５（ａ）〜（ｃ）は、防水パン１の端辺と略平行に締結されている外側連結フレーム６の斜視構造図である。
前記外側連結フレーム６には、ステイ５に締結して水平配置した状態において防水パン１の端辺と略平行方向の端部に下方向に折り曲げたフランジ面６ａが段部６ｂを介し設けられている。前記段部６ｂにおいて水平となる部分が前記ステイ５の支持片５ｉ上に設置されて緊結されるようになっているが、外側連結フレーム６の両端部分においてフランジ面６ａには切欠部６ｇが形成されていて、この切欠部６ｇが形成されていることによって、ステイ５の支持片５ｉに対し外側連結フレーム６を緊結して取り付ける場合、フランジ面６ａが支持片５１に干渉しないようになっている。即ち、外側連結フレーム６はその両端に形成されている切欠部６ｇの部分を介して両側のステイ５の支持片５ｉ上に外側連結フレーム６の両端を載置できるように構成されている。
【００２７】
このように下方向に折り曲げたフランジ面６ａを設けることで、外側連結フレーム６は座屈強度が向上されているので、外側連結フレーム６の上部に図５（ｃ）に示す如く壁パネル８が設置された際に、壁パネル８の荷重で前記外側連結フレーム６自体が変形することを防止することができる。なお、外側連結フレーム６においてフランジ面６ａを設けた側と反対側には、設置面１０から更に上方に立ち上がる形の外端縁６ｃが形成されている。
前記内側連結フレーム７は横断面Ｌ字型の型材からなり、ステイ５の支持片５ｉにおいて下段コーナーフレーム３に近い側の端部を内側連結フレーム７で覆うように両側のステイ５、５間に配置され、前述の如く締結具により支持片５ｉに取り付けられている。
【００２８】
図６は、支持片５ｉを有するステイ５と防水パン１の端辺と略平行に締結される外側連結フレーム６との締結状態を示す斜視構造図である。
前記ステイ５と前記外側連結フレーム６を締結する際は、前記ステイ５と前記外側連結フレーム６の外端縁６ｃが形成するコーナー部６ｄの内側に、図６（ｂ）に示す如く上段コーナーフレーム９を締結し、立設することで、上段コーナーフレーム９を立設すると同時に前記ステイ５と前記外側連結フレーム６が締結された状態とされている。
【００２９】
図７は、支持片５ｉを有するステイ５に外側連結フレーム６と内側連結フレーム７を締結し、それらの上にカウンター２が設置された状態を説明するための斜視構造図である。
前記ステイ５の上面に締結された外側連結フレーム６の上面と、前記内側連結フレーム７の上面にカウンター２を図７（ｂ）に示す如く設置することができる。
その際に、前記外側連結フレーム６の上面と、前記内側連結フレーム７の上面に加え、前記ステイ５の支持片５ｉの上面によりカウンター２の裏面と平行な設置面１０が構成されるので、これらの設置面１０に渡るように止水材１１を貼付けることで、カウンター２の外周側から浸入してきた水を、防水パン１の外側に位置する建築躯体１２側に漏水しないよう止水することができる。なお、図７（ａ）に示す例においては、止水材１１を内側連結フレーム７の前面及び上面とステイ５の支持片５ｉ上面と外側連結フレーム６の上面を通過するとともに外側連結フレーム６の上に設置した壁パネル８の下縁に沿って配置した例を示している。
【００３０】
図８は、下段コーナーフレーム３の下部と防水パン１を締結させる部分に設けられる支え金具１３の一例を示す斜視構造図である。
この支え金具１３は、Ｌ型の本体部１３Ａとこの本体部１３Ａの下辺側に複数突出形成された支持片１３Ｂからなり、本体部１３Ａの折り曲げ部分の内側に下段コーナーフレーム３の下端部を沿わせて両者をビスあるいはボルトなどの締結具１５により締結するとともに、支持片１３Ｂの先端部を防水パン１の外周立ち上げ部１ａの内側に突き当て、支持片１３Ｂと外周立ち上げ部１ａを貫通するビスやボルトなどの締結具１６により締結することで固定されている。
【００３１】
下段コーナーフレーム３の下端部と防水パン１を締結させる支え金具１３を取り付けることで、下段コーナーフレーム３の倒れを防止できる効果がある。
また、前記支え金具１３の支持片１３Ｂの裏面側（ユニットバスの外側）に折り曲げ片１３ａを直角に立設し、図８（ｂ）に示す如くその折り曲げ片１３ａを防水パンの外周立ち面１ａに突き当てることで、下段コーナーフレーム３の上下方向設置精度を向上させることができる。
【符号の説明】
【００３２】
１…防水パン、２…カウンター、３…下段コーナーフレーム、５…ステイ、５Ａ…本体部、５ａ、５ｂ、５ｃ、５ｄ、５ｅ…縁部、５ｆ、５ｇ…取付片、５ｉ…支持片、６…外側連結フレーム、６ａ…フランジ面、６ｂ…段部、６ｃ…外縁端、７…内側連結フレーム、８…壁パネル、９…上段コーナーフレーム、１０…設置面、１４…浴槽。
【図１】
0005470097.tif 000002
【図２】
0005470097.tif 000003
【図３】
0005470097.tif 000004
【図４】
0005470097.tif 000005
【図５】
0005470097.tif 000006
【図６】
0005470097.tif 000007
【図７】
0005470097.tif 000008
【図８】
0005470097.tif 000009
【図９】
0005470097.tif 000010